(57)【要約】【課題】ユーザーの利便性が良好な情報表示システムを提供する。【解決手段】情報表示システムは、画像形成装置１１、および携帯端末装置を備える。画像形成装置１１は、第二世代画像情報生成部３２と、画像情報マーク生成部３３と、画像形成制御部３４とを備える。第二世代画像情報生成部３２は、入力受付部３１により受付けられたユーザー情報、および第一の読取部１４により読取られた第一世代の原稿に基づいて、第一世代の原稿に関連する第二世代の原稿の画像情報を生成する。画像情報マーク生成部３３は、第二世代画像情報生成部３２により生成された第二世代の原稿の画像情報を第一世代の原稿の画像に盛り込んだ画像情報マークを生成する。画像形成制御部３４は、画像情報マーク生成部３３により生成された画像情報マークを原稿セット部１７によりセットされた第一世代の原稿に上書きして画像形成部１５により画像情報マークの画像を形成するよう制御する。【選択図】図３
2018142858.tif 000002
【特許請求の範囲】
【請求項１】
画像を形成する画像形成部を含む第１電子装置、および情報を表示する表示部を含む第２電子装置を備える情報表示システムであって、
前記第１電子装置は、
第一世代の原稿の画像を読取る第一の読取部と、
前記第一世代の原稿をセットさせる原稿セット部と、
前記第一の読取部により読取られた前記第一世代の原稿に対してユーザーの要求するユーザー情報の入力を受付ける入力受付部と、
前記入力受付部により受付けられた前記ユーザー情報、および前記第一の読取部により読取られた前記第一世代の原稿に基づいて、前記第一世代の原稿に関連する第二世代の原稿の画像情報を生成する第二世代画像情報生成部と、
前記第二世代画像情報生成部により生成された前記第二世代の原稿の画像情報を前記第一世代の原稿の画像に盛り込んだ画像情報マークを生成する画像情報マーク生成部と、
前記画像情報マーク生成部により生成された前記画像情報マークを前記原稿セット部によりセットされた前記第一世代の原稿に上書きして前記画像形成部により前記画像情報マークの画像を形成する、若しくは、前記画像情報マーク生成部により生成された前記画像情報マークを、原稿画像に形成するよう制御する画像形成制御部とを備え、
前記第２電子装置は、
前記画像情報マークに付加された前記第一世代の原稿の画像を読取る第二の読取部と、
前記第二の読取部により読取られた前記第一世代の原稿の画像に前記画像情報マークがあるか否かを判断する判断部と、
前記判断部により前記画像情報マークがあると判断されれば、前記第二世代の原稿の画像情報を前記第二世代画像情報生成部から抽出する抽出部と、
前記第二の読取部により読取られた前記第一世代の原稿の画像に、前記抽出部により抽出された前記第二世代の原稿の画像情報を合わせて前記表示部に表示するよう制御する表示制御部とを備える、情報表示システム。
【請求項２】
前記第１電子装置が、前記第一世代の原稿に関連する第二世代の原稿の画像情報を、前記第１電子装置と前記第２電子装置とに接続された電気公衆回線に接続された記憶装置に送信し、前記抽出部が前記第一世代の原稿に関連する前記第二世代の原稿を前記記憶装置から抽出する、請求項１に記載の情報表示システム。
【請求項３】
前記第１電子装置と前記第２電子装置とが共通である、請求項１に記載の情報表示システム。
【請求項４】
画像を形成する画像形成部を含む第１電子装置、および情報を表示する表示部と、画像情報マークが付加された第一世代の原稿の画像を読取る第二の読取部と、前記第二の読取部により読取られた前記第一世代の原稿の画像に前記画像情報マークがあるか否かを判断する判断部と、前記判断部により前記画像情報マークがあると判断されれば、前記第二世代の原稿の画像情報を前記第二世代画像情報生成部から抽出する抽出部と、前記第二の読取部により読取られた前記第一世代の原稿の画像に、前記抽出部により抽出された前記第二世代の原稿の画像情報を合わせて前記表示部に表示するよう制御する表示制御部とを含む第２電子装置を備える情報表示システムに含まれる前記第１電子装置であって、
第一世代の原稿の画像を読取る第一の読取部と、
前記第一世代の原稿をセットさせる原稿セット部と、
前記第一の読取部により読取られた前記第一世代の原稿に対してユーザーの要求するユーザー情報の入力を受付ける入力受付部と、
前記入力受付部により受付けられた前記ユーザー情報、および前記第一の読取部により読取られた前記第一世代の原稿に基づいて、前記第一世代の原稿に関連する第二世代の原稿の画像情報を生成する第二世代画像情報生成部と、
前記第二世代画像情報生成部により生成された前記第二世代の原稿の画像情報を前記第一世代の原稿の画像に盛り込んだ画像情報マークを生成する画像情報マーク生成部と、
前記画像情報マーク生成部により生成された前記画像情報マークを前記原稿セット部によりセットされた前記第一世代の原稿に上書きして前記画像形成部により前記画像情報マークの画像を形成する、若しくは、前記画像情報マーク生成部により生成された前記画像情報マークを、原稿画像に形成するよう制御する画像形成制御部とを備える、第１電子装置。
【請求項５】
前記第一世代の原稿は、地図を示した地図原稿を含み、
前記入力受付部は、前記携帯端末装置を所有するユーザーの目的地の情報および出発地の情報の入力を受付け、
前記第二世代画像情報生成部は、
前記第一の読取部により読取られた画像のうち、前記地図の縮尺の情報である縮尺情報および前記地図によって示された位置の情報である位置情報を取得する地図情報取得部と、
前記地図情報取得部により取得された前記縮尺情報、前記位置情報、前記入力受付部により入力を受付けられた前記目的地情報、および前記出発地情報に基づいて、前記出発地から前記目的地に至る推奨ルートを導出するルート導出部とを備え、
前記画像情報マーク生成部は、前記ルート導出部により導出された前記推奨ルートの情報を前記第二世代の原稿の画像情報として盛り込んで前記画像情報マークを生成し、
前記抽出部は、前記画像情報マークから前記推奨ルートの情報を抽出し、
前記表示制御部は、前記表示部に前記推奨ルートの情報を表示するよう制御する、請求項４に記載の第１電子装置。
【請求項６】
前記ルート導出部は、複数の前記推奨ルートを導出し、
前記表示制御部は、複数の前記推奨ルートを前記表示部に表示するよう制御する、請求項５に記載の第１電子装置。
【請求項７】
前記地図情報取得部は、前記第一の読取部により読取られた前記地図に示された目標物の情報から前記縮尺情報を算出して取得する、請求項５または請求項６に記載の第１電子装置。
【請求項８】
前記ルート導出部は、前記推奨ルート上に通行の支障となる現象に関する情報を取得すれば、前記推奨ルート上に通行の支障となる現象に関する情報に基づき、前記推奨ルートを改めて導出する、請求項５〜請求項７のいずれか１項に記載の第１電子装置。
【請求項９】
前記画像形成制御部は、前記第一世代の原稿の余白に、前記画像情報マークの画像を形成するよう制御する、請求項５〜請求項８のいずれか１項に記載の第１電子装置。
【発明の詳細な説明】
【技術分野】
【０００１】
この発明は、情報表示システム、および第１電子装置に関するものである。
【背景技術】
【０００２】
複合機に代表される画像形成装置においては、画像データを基に、感光体に対して光を照射し、感光体上に静電潜像を形成する。その後、形成した静電潜像の上に帯電したトナーを供給して可視画像とした後、用紙に転写して定着させ、装置外に出力される。
【０００３】
ここで画像を読取る機能と印刷する機能を備える複合機に関する技術が、特開２００９−７０１３６号公報（特許文献１）に開示されている。
【０００４】
特許文献１に開示の情報提供システムは、読取機能と印刷機能とを備える複合機と、複合機にネットワークを介して接続された情報提供サーバーとを備える。複合機は、情報提供サーバーからコード情報を備える印刷情報を受信し、印刷する印刷部と、印刷部によって印刷情報の印刷がなされ、手書き文字や図形が書き加えられた用紙を読み取る読取部と、読取部が読み取った読取情報に含まれるコード情報を解析し、用紙に印刷された印刷情報を特定する印刷識別情報を取得する、コード情報解析部と、コード情報解析部が取得した印刷識別情報と、読取部が読み取った読取情報とを、情報提供サーバーに送信する読取情報送信部とを備える。情報提供サーバーは、複合機に提供する各印刷情報について、該印刷情報と、該印刷情報を特定する印刷識別情報とを対応付けて記憶する、印刷情報記憶部と、読取情報送信部から受信した印刷識別情報に対応付けて記憶される印刷情報を、印刷情報記憶部を参照して取得する、情報取得部と、読取情報送信部から受信した読取情報と、情報取得部の取得した印刷情報を比較して、差分を取得することで、手書き情報を抽出する、手書き情報抽出部と、抽出された手書き情報を解析し、解析結果を入力として、新たな情報を複合機に送信する提供情報送信部とを備える。上記した情報提供システムは、このような特徴を有する。
【先行技術文献】
【特許文献】
【０００５】
【特許文献１】特開２００９−７０１３６号公報
【発明の概要】
【発明が解決しようとする課題】
【０００６】
特許文献１に開示の情報提供システムでは、事前に準備されたフォーマットに基づいてユーザーの要求する情報を提供するのみである。すなわち、事前に準備されていないものについては、情報を提供することができない。また、ユーザーにとって、一つの原稿でユーザーの要求する情報を取得することができれば、ユーザーの利便性の向上に繋がる。
【０００７】
この発明の目的は、ユーザーの利便性が良好な情報表示システム、および第１電子装置を提供することである。
【課題を解決するための手段】
【０００８】
この発明の一の局面においては、情報表示システムは、画像を形成する画像形成部を含む第１電子装置、および情報を表示する表示部を含む第２電子装置を備える。第１電子装置は、第一の読取部と、原稿セット部と、入力受付部と、第二世代画像情報生成部と、画像情報マーク生成部と、画像形成制御部とを備える。第一の読取部は、第一世代の原稿の画像を読取る。原稿セット部は、第一世代の原稿をセットさせる。入力受付部は、第一の読取部により読取られた第一世代の原稿に対してユーザーの要求するユーザー情報の入力を受付ける。第二世代画像情報生成部は、入力受付部により受付けられたユーザー情報、および第一の読取部により読取られた第一世代の原稿に基づいて、第一世代の原稿に関連する第二世代の原稿の画像情報を生成する。画像情報マーク生成部は、第二世代画像情報生成部により生成された第二世代の原稿の画像情報を第一世代の原稿の画像に盛り込んだ画像情報マークを生成する。画像形成制御部は、画像情報マーク生成部により生成された画像情報マークを原稿セット部によりセットされた第一世代の原稿に上書きして画像形成部により画像情報マークの画像を形成する、若しくは画像情報マーク生成部により生成された画像情報マークを原稿画像に形成するよう制御する。第２電子装置は、第二の読取部と、判断部と、抽出部と、表示制御部とを備える。第二の読取部は、画像情報マークが付加された第一世代の原稿の画像を読取る。判断部は、第二の読取部により読取られた第一世代の原稿の画像に画像情報マークがあるか否かを判断する。抽出部は、判断部により画像情報マークがあると判断されれば、第二世代の原稿の画像情報を第二世代画像情報生成部から抽出する。表示制御部は、第二の読取部により読取られた第一世代の原稿の画像に、抽出部により抽出された第二世代の原稿の画像情報を合わせて表示部に表示するよう制御する。
【０００９】
この発明の他の局面においては、第１電子装置は、画像を形成する画像形成部を含む第１電子装置、および情報を表示する表示部と、画像情報マークが付加された第一世代の原稿の画像を読取る第二の読取部と、第二の読取部により読取られた第一世代の原稿の画像に画像情報マークがあるか否かを判断する判断部と、判断部により画像情報マークがあると判断されれば、第二世代の原稿の画像情報を第１電子装置から抽出する抽出部と、第二の読取部により読取られた第一世代の原稿の画像に、抽出部により抽出された第二世代の原稿の画像情報を合わせて表示部に表示するよう制御する表示制御部とを含む第２電子装置を備える情報表示システムに含まれる。第１電子装置は、第一の読取部と、原稿セット部と、入力受付部と、第二世代画像情報生成部と、画像情報マーク生成部と、画像形成制御部とを備える。第一の読取部は、第一世代の原稿の画像を読取る。原稿セット部は、第一世代の原稿をセットさせる。入力受付部は、第一の読取部により読取られた第一世代の原稿に対してユーザーの要求するユーザー情報の入力を受付ける。第二世代画像情報生成部は、入力受付部により受付けられたユーザー情報、および第一の読取部により読取られた第一世代の原稿に基づいて、第一世代の原稿に関連する第二世代の原稿の画像情報を生成する。画像情報マーク生成部は、第二世代画像情報生成部により生成された第二世代の原稿の画像情報を第一世代の原稿の画像に盛り込んだ画像情報マークを生成する。画像形成制御部は、画像情報マーク生成部により生成された画像情報マークを原稿セット部によりセットされた第一世代の原稿に上書きして画像形成部により画像情報マークの画像を形成する、若しくは画像情報マーク生成部により生成された画像情報マークを原稿画像に形成するよう制御する。
【発明の効果】
【００１０】
このような情報表示システム、および第１電子装置によれば、ユーザーの利便性を良好にすることができる。
【図面の簡単な説明】
【００１１】
【図１】この発明の一実施形態に係る情報表示システムに含まれる画像形成装置を複合機に適用した場合の複合機を含む情報表示システムの外観を示す概略図である。
【図２】図１に示す情報表示システムの構成を示すブロック図である。
【図３】複合機制御部の構成を示すブロック図である。
【図４】携帯端末装置制御部の構成を示すブロック図である。
【図５】地図原稿に基づいて携帯端末装置に推奨ルートを表示する場合の処理の流れを示すフローチャートである。
【図６】地図原稿の一例を示す図である。
【図７】画像情報マークが形成され、上書きされた地図原稿を示す図である。
【図８】携帯端末装置で地図原稿を見た場合の処理の流れを示すフローチャートである。
【図９】タッチパネルに表示された地図原稿を示す図である。
【図１０】タッチパネルにより狭い範囲を表示する場合のタッチパネルの表示の一例を示す図である。
【図１１】改めて導出された推奨ルートを表示したタッチパネルに表示された地図原稿の一例を示す図である。
【発明を実施するための形態】
【００１２】
以下、この発明の実施の形態を説明する。図１は、この発明の一実施形態に係る情報表示システムに含まれる画像形成装置を複合機に適用した場合の複合機を含む情報表示システム２４の外観を示す概略図である。図２は、図１に示す情報表示システム２４の構成を示すブロック図である。
【００１３】
図１および図２を参照して、情報表示システム２４は、画像を形成する画像形成部１５を含む第１電子装置としての複合機１１と、情報を表示する表示部としてのタッチパネル４５を含む第２電子装置としての携帯端末装置４１とを含む。携帯端末装置４１としては、たとえば、スマートフォンやタブレットＰＣ等が挙げられる。
【００１４】
まず、複合機１１の構成について説明する。複合機１１は、複合機制御部１２と、操作部１３と、第一の読取部１４と、画像形成部１５と、給紙カセット１６と、手差しトレイ１７と、ハードディスク１８と、ネットワーク２３と接続するためのネットワークインターフェース部１９とを備える。複合機制御部１２は、複合機１１全体の制御を行う。なお、複合機制御部１２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ２０を含む。操作部１３は、複合機１１側から発信される情報やユーザーの入力内容を表示するタッチパネル型式の表示画面２１を含む。操作部１３は、印刷部数や階調等の画像形成の条件といった画像形成に関するユーザーからの入力を受付ける。第一の読取部１４は、セット位置にセットされた原稿を読取位置に搬送する原稿搬送装置としてのＡＤＦ（Ａｕｔｏ  Ｄｏｃｕｍｅｎｔ  Ｆｅｅｄｅｒ）２２を含む。第一の読取部１４は、ＡＤＦ２２または載置台上にセットされた原稿の画像を読取る。給紙カセット１６は、複数設けられており、それぞれ複数枚の用紙をその内部に収納することができる。手差しトレイ１７は、複合機１１の側部に設けられており、手差しで画像を形成する用紙をセットすることができる。給紙カセット１６および手差しトレイ１７はそれぞれ、後述する第一世代の原稿をセットさせる原稿セット部として作動する。画像形成部１５は、第一の読取部１４により読取られた原稿の画像データやネットワーク２３を介して送信された画像データを基に、給紙カセット１６や手差しトレイ１７から搬送されてきた用紙に画像を形成する。ハードディスク１８は、送信された画像データや入力された画像形成条件等、画像形成に関するデータを記憶する。なお、上記した第一世代の原稿は、地図を示した地図原稿である。
【００１５】
次に、複合機１１に備えられる複合機制御部１２の構成について説明する。図３は、複合機制御部１２の構成を示すブロック図である。図３を参照して、複合機制御部１２は、入力受付部３１と、第二世代画像情報生成部３２と、画像情報マーク生成部３３と、画像形成制御部３４とを備える。入力受付部３１は、第一の読取部１４により読取られた第一世代の原稿に対してユーザーの要求するユーザー情報の入力を受付ける。上記した操作部１３は、入力受付部３１として作動する。第二世代画像情報生成部３２は、入力受付部３１により受付けられたユーザー情報、および第一の読取部１４により読取られた地図原稿に基づいて、地図原稿に関連する第二世代の原稿の画像情報を生成する。画像情報マーク生成部３３は、第二世代画像情報生成部３２により生成された第二世代の原稿の画像情報を地図原稿の画像に盛り込んだ画像情報マークを生成する。画像形成制御部３４は、画像情報マーク生成部３３により生成された画像情報マークを原稿セット部によりセットされた第一世代の原稿に上書きして画像形成部１５により画像情報マークの画像を形成するよう制御する。
【００１６】
また、第二世代画像情報生成部３２は、地図情報取得部３５と、ルート導出部３６とを含む。地図情報取得部３５は、第一の読取部１４により読取られた地図原稿の画像のうち、地図の縮尺の情報である縮尺情報および地図によって示された位置の情報である位置情報を取得する。ルート導出部３６は、地図情報取得部３５により取得された縮尺情報、位置情報、入力受付部３１により入力を受付けられた出発地情報、および目的地情報に基づいて、出発地から目的地に至る推奨ルートを導出する。また、画像情報マーク生成部３３は、ルート導出部３６により導出された推奨ルートの情報を第二世代の原稿の画像情報として盛り込んで画像情報マークを生成する。これらの構成については、後に詳述する。
【００１７】
次に、携帯端末装置４１の構成について説明する。携帯端末装置４１は、携帯端末装置制御部４２と、ネットワーク２３と接続するための携帯端末装置ネットワークインターフェース部４３と、携帯端末装置記憶部４４と、情報を表示する表示部としてのタッチパネル４５と、画像情報マークを付加された原稿の画像を読取る第二の読取部４６とを備える。携帯端末装置制御部４２は、携帯端末装置４１全体の制御を行う。携帯端末装置記憶部４４は、画像データや種々のデータを記憶する。タッチパネル４５は、携帯端末装置４１の情報を表示すると共に、入力のインターフェースとなる。第二の読取部４６は、タッチパネル４５と反対側の面に設けられたカメラ機構で対象となる原稿の画像を撮影することにより、原稿の画像を読取る。なお、第二の読取部４６は、画像情報マークを付加されていない通常の原稿の画像も読取可能な構成である。
【００１８】
次に、携帯端末装置４１に備えられる携帯端末装置制御部４２の構成について説明する図４は、携帯端末装置制御部４２の構成を示すブロック図である。図４を参照して、携帯端末装置制御部４２は、判断部５１と、抽出部５２と、表示制御部５３とを備える。判断部５１は、第二の読取部４６により読取られた地図原稿の画像に画像情報マークがあるか否かを判断する。抽出部５２は、判断部５１により画像情報マークがあると判断されれば、第二世代の原稿の画像情報を複合機１１の第二世代画像情報生成部３２から抽出する。表示制御部５３は、第二の読取部４６により読取られた地図原稿の画像に、抽出部５２により抽出された第二世代の原稿の画像情報を合わせてタッチパネル４５に表示するよう制御する。これらの構成についても、後に詳述する。
【００１９】
次に、上記した情報表示システム２４を用いて、第一世代の原稿として地図を示した地図原稿に基づいて携帯端末装置４１に推奨ルートを表示する場合について説明する。
【００２０】
図５は、地図原稿に基づいて携帯端末装置４１に推奨ルートを表示する場合の処理の流れを示すフローチャートである。図５を参照して、まず、ユーザーは、地図原稿をＡＤＦ２２にセットする。複合機制御部１２は、地図原稿のセットを検知し、操作部１３のスタートキーの押下を検知すると、第一の読取部１４により地図原稿の画像を読取る（図５において、ステップＳ１１、以下、「ステップ」を省略する）。
【００２１】
ここで、第一の読取部１４によって読取られる第一世代の原稿である地図原稿について簡単に説明する。図６は、地図原稿の一例を示す図である。なお、地図原稿は、上側が北の方角である。図６を参照して、地図原稿６１には、南北方向に延びる線路６２によって繋がっている第一の駅６３ａと第二の駅６３ｂとが示されている。すなわち、第一の駅６３ａの隣の駅が第二の駅６３ｂとなる。第一の駅６３ａの方が北側に位置している。地図原稿６１には、それぞれ南北方向に間隔を開けて設けられ、東西方向に延びる二本の道路６４ａ、６４ｂと、それぞれ東西方向に間隔を開けて設けられ、南北方向に延びる二本の道路６５ａ、６５ｂとが示されている。道路６５ｂは、線路６２に沿って延びている。道路６４ａと道路６５ｂとの交差点に第一の駅６３ａが位置する。道路６４ｂと道路６５ｂとの交差点に第二の駅６３ｂが位置する。また、地図原稿６１には、道路６５ａ沿いであって道路６４ｂ側に近い位置、すなわち、道路６５ａと道路６４ｂとの交わる交差点の近くに建物６６が示されている。さらに地図原稿６１には、他に目印やランドマークとなり得る建物６７ａ、６７ｂ、６７ｃ、６７ｄが示されている。なお、このような建物６６等や第一の駅６３ａ等の座標の情報、すなわち、緯度のデータや経度のデータについては、予めハードディスク１８に日本地図に示されている有名な建物等として登録され、記憶されていることにしてもよい。
【００２２】
このような地図原稿６１の画像を第一の読取部１４により読取る。地図情報取得部３５は、第一の読取部１４により読取られた画像のうち、地図原稿６１の縮尺の情報である縮尺情報および地図原稿６１によって示された位置の情報である位置情報を取得する（Ｓ１２）。
【００２３】
ここで、縮尺情報の取得について、縮尺情報が地図原稿６１内に示されている場合には、これを利用する。具体的には、地図原稿６１内に縮尺情報が示されている場合、ＯＣＲ（Ｏｐｔｉｃａｌ  Ｃｈａｒａｃｔｅｒ  Ｒｅｃｏｇｎｉｔｉｏｎ）機構により、縮尺を示す数値や文字を地図原稿６１の画像から読取って、これを利用する。一方、縮尺情報が示されていない場合には、例えば地図原稿６１上に示されている目標物、具体的には、たとえば、地図原稿６１上にそれぞれ示されている第一の駅６３ａの名前と第二の駅６３ｂの名前をＯＣＲ機構によって抽出し、実際の第一の駅６３ａと第二の駅６３ｂとの間の距離から地図原稿６１の縮尺の情報を算出するようにしてもよい。すなわち、地図情報取得部３５は、第一の読取部１４により読取られた地図原稿６１に示された目標物の情報から縮尺情報を算出して取得する。実際の第一の駅６３ａと第二の駅６３ｂとの間の距離の情報については、ネットワーク２３を経由してインターネットから取得してもよいし、予めハードディスク１８に日本地図の詳細情報が記憶されている場合には、これを利用してもよい。
【００２４】
位置情報の取得については、地図原稿６１に示されている第一の駅６３ａの名前や第二の駅６３ｂの名前、道路６４ａ、６４ｂ、６５ａ、６５ｂの名前が示されていれば、ＯＣＲ機構でこれを読取り、利用する。具体的には、ハードディスク１８に記憶されている第一の駅６３ａ等の緯度および経度のデータを用いて位置情報を取得する。地図原稿６１上に示されている建物６６、６７ａ〜６７ｄの名前から導出される緯度および軽度のデータを利用して位置情報を取得することにしてもよい。
【００２５】
次に、出発地情報および目的地情報を取得する（Ｓ１３）。この場合、入力受付部３１として作動する操作部１３の表示画面２１等を介して、出発地の情報および目的地の情報の入力を受付けることにより行う。具体的には、第一の読取部１４により読取られた地図原稿６１の画像を表示画面２１に表示し、出発地としてタッチにより指定された位置、および目的地としてタッチにより指定された位置のタッチを検知することにより行う。
【００２６】
その後、推奨ルートの選択の条件を受付けたか否かが判断される（Ｓ１４）。この条件の受付についても、入力受付部３１により行われる。具体的には、たとえば、操作部１３の表示画面２１において、ユーザーからの文字や数値の入力に基づいて行われる。
【００２７】
ルート導出部３６は、推奨ルートの選択の条件を受付ければ（Ｓ１４において、ＹＥＳ）、選択された推奨ルートの選択の条件に応じて、出発地と目的地とを結ぶ推奨ルートを導出する（Ｓ１５）。
【００２８】
そして、第二世代画像情報生成部３２は、導出された推奨ルート、たとえば、出発地と目的地とを結ぶ最近のルートの情報に基づいて、地図原稿に関連する第二世代の原稿の画像情報を生成する（Ｓ１６）。その後、画像情報マーク生成部３３は、第二世代画像情報生成部３２により生成された第二世代の原稿の画像情報を地図原稿の画像に盛り込んだ画像情報マークを生成する（Ｓ１７）。この場合の画像情報マークは、たとえば、目的地の建物の形状に沿った形状の二次元コード等のマークにより盛り込まれている。
【００２９】
ここで、ユーザーは、第一世代の原稿である地図原稿６１を第一の読取部１４により読取らせた後、原稿セット部である手差しトレイ１７にセットする。画像形成制御部３４は、手差しトレイ１７に第一世代の原稿である地図原稿６１がセットされたことを検知すると（Ｓ１８において、ＹＥＳ）、画像情報マーク生成部３３により生成された画像情報マークをセットされた地図原稿６１に上書きして画像形成部１５により画像情報マークの画像を形成するよう制御する（Ｓ１９）。その後、画像が形成された地図原稿７１が出力される（Ｓ２０）。
【００３０】
図７は、画像情報マークが形成され、上書きされた地図原稿７１を示す図である。図７を参照して、地図原稿７１には、上記した地図原稿６１に示された線路６２、駅６３ａ、６３ｂ、道路６４ａ、６４ｂ、６５ａ、６５ｂ、建物６６ａ〜６６ｄが示されていると共に、建物６６ａの上にＡＲ（Ａｕｇｍｅｎｔｅｄ  Ｒｅａｌｉｔｙ（拡張現実））マーカーとしての画像情報マーク７２が示されている。すなわち、画像形成制御部３４により、二次元コードで表される画像情報マーク７２が上書きされている。なお、この図７における地図原稿７１に示す画像情報マーク７２については、理解の容易の観点からハッチングで図示している。画像情報マーク７２には、第二世代画像情報生成部３２により生成された画像情報が盛り込まれている。すなわち、第二世代の原稿の画像情報が地図原稿６１に付加されることになる。
【００３１】
また、上記したＳ１４において、ルート選択の条件を受付けなければ（Ｓ１４において、ＮＯ）、複数の推奨ルートを導出する。具体的には、出発地から目的地まで最も短い時間で辿り着く「最短ルート」、出発地から目的地までの距離が最も短い「最近ルート」、道幅が広く交差点が少なく比較的通行人や交通量が少ない「安全ルート」、商店街やアーケードを多く通り、傘がなくても雨に濡れる状況が少ない「雨天時ルート」といった観点から複数の推奨ルートを導出する（Ｓ２１）。複数の推奨ルートが導出された後のＳ１６以降の処理については、上記と同様である。
【００３２】
次に、このようにして出力された第一世代の原稿、具体的には、画像情報マークが上書きされた地図原稿７１を携帯端末装置４１で見た場合について説明する。
【００３３】
図８は、携帯端末装置４１で地図原稿７１を見た場合の処理の流れを示すフローチャートである。図８を参照して、携帯端末装置４１を介して地図原稿７１を見た場合、カメラ機能を利用した第二の読取部４６は、地図原稿７１の画像を読取る（Ｓ３１）。そして、判断部５１は、読取られた地図原稿７１の画像の中に、画像情報マーク７２があるか否かを判断する（Ｓ３２）。判断部５１により画像情報マーク７２がないと判断されれば（Ｓ３２において、ＮＯ）、通常の一般的な原稿の画像と認識され、そのままタッチパネル４５に表示される（Ｓ３５）。この場合、判断部５１により画像情報マーク７２があると判断されるので（Ｓ３２において、ＹＥＳ）、抽出部５２は、第二世代画像情報生成部３２から第二世代の原稿の画像情報を抽出する（Ｓ３３）。そして、表示制御部５３は、第二の読取部４６により読取られた第一世代の地図原稿７１の画像に、抽出部５２により抽出された第二世代の原稿の画像情報を合わせてタッチパネル４５に表示するよう制御する（Ｓ３４）。
【００３４】
図９は、タッチパネル４５に表示された地図原稿７１を示す図である。図９を参照して、地図原稿７１を表示したタッチパネル４５には、入力された出発地７３ａと、同じく入力された目的地７３ｂと、出発地７３ａから目的地７３ｂに至る矢印で示された推奨ルート７４とが表示されている。すなわち、地図原稿７１上には示されていないが、携帯端末装置４１のタッチパネル４５上において、出発地７３ａ、目的地７３ｂ、および推奨ルート７４が電子的に表示されている。この場合、出発地７３ａと目的地７３ｂとが双方ともタッチパネル４５の画面内に収まる範囲で表示されている。なお、出発地７３ａは黒丸で、目的地７３ｂは白丸で図示している。この図９に示される画像、すなわち、タッチパネル４５に推奨ルート７４等が示されている画像が、第二世代の原稿の画像となる。
【００３５】
このような情報表示システム２４によれば、複合機１１により、地図原稿６１を読取り、入力受付部３１により受付けられたユーザー情報に基づいて、地図原稿６１の画像に関連する第二世代の原稿の画像情報を生成し、さらに画像情報マーク７２を生成して、地図原稿６１に上書きしている。また、携帯端末装置４１により画像情報マーク７２があると判断されれば、第二世代画像情報生成部３２から第二世代の原稿の画像情報を抽出して携帯端末装置４１のタッチパネル４５に第二世代の原稿の画像情報を表示する。こうすることにより、ユーザーの要求に応じた事前に準備されていない第二世代の原稿の画像情報を生成して、地図原稿７１に反映させることができる。また、この場合、一つの原稿でユーザーの要求する情報を取得することができる。したがって、ユーザーの利便性を良好にすることができる。
【００３６】
なお、表示制御部５３は、以下のような表示を行うよう制御してもよい。図１０は、タッチパネル４５に比較的狭い範囲を表示する場合のタッチパネル４５の表示の一例を示す図である。図１０を参照して、表示制御部５３は、図１０中の位置７６ａに携帯端末装置４１がある場合、具体的には、目的地７３ｂがタッチパネル４５の表示画面領域内に収まらず、出発地７３ａの近辺がタッチパネル４５の表示画面領域に収まるよう表示されている場合には、表示画面領域内において出発地７３ａおよび出発地７３ａから向かう推奨ルート７５ａの一部が表示されるよう制御する。また、表示制御部５３は、図１０中の位置７６ｂに携帯端末装置４１がある場合、具体的には、出発地７３ａがタッチパネル４５の表示画面領域内に収まらず、目的地７３ｂの近辺がタッチパネル４５の表示画面領域に収まるよう表示されている場合には、表示画面領域内において目的地７３ｂおよび目的地７３ｂへ向かう推奨ルート７５ｂの一部が表示されるよう制御する。さらに、表示制御部５３は、図１０中の位置７６ｃに携帯端末装置４１がある場合、具体的には、出発地７３ａおよび目的地７３ｂの双方がタッチパネル４５の表示画面領域内に収まらず、地図原稿７１の他の領域がタッチパネル４５の表示画面領域に表示されている場合には、出発地７３ａの位置を示す矢印７７ａ、および目的地７３ｂの位置を示す矢印７７ｂが表示されるよう制御する。なお、携帯端末装置４１の位置、すなわち、携帯端末装置４１を所有するユーザーの現在地の情報については、携帯端末装置４１に備えられているＧＰＳ（Ｇｌｏｂａｌ  Ｐｏｓｉｔｉｏｎｉｎｇ  Ｓｙｓｔｅｍ）機能等により取得することができる。
【００３７】
また、表示制御部５３は、以下のような表示を行うよう制御してもよい。すなわち、表示制御部５３は、Ｓ１４において推奨ルートの選択の条件を受付けなかった場合、Ｓ２１において導出した複数の推奨ルートを表示するよう制御する。こうすることにより、Ｓ１４において推奨ルートの選択の条件を受付けなかった場合において、複数の推奨ルートを表示し、表示された複数の推奨ルートの中からユーザーの望むものを選択することができるので、ユーザーの推奨ルートの選択の幅を広げることができる。
【００３８】
ここで、複数の推奨ルートは、ユーザーの選択により一つずつ表示するようにしてもよい。こうすることにより、よりタッチパネル４５の表示を見やすくすることができる。この場合、定期的に複数の推奨ルートを切り替える表示をしてもよいし、ユーザーの選択により複数の推奨ルートのうちの一つを実線や色分けした表示とし、他を点線や他の色とした表示とするようにしてもよい。
【００３９】
また、上記の実施の形態において、表示している推奨ルートの通行に支障をきたすような事象が発生した場合、このような情報を取得して、推奨ルートの表示に反映させるようにしてもよい。すなわち、ルート導出部３６は、推奨ルート上に通行の支障となる現象に関する情報を取得すれば、推奨ルート上に通行の支障となる現象に関する情報に基づき、推奨ルートを改めて導出する。
【００４０】
図１１は、改めて導出された推奨ルートを表示したタッチパネル４５に表示された地図原稿７１の一例を示す図である。図１１を参照して、タッチパネル４５には、目的地である建物６６からの帰り道を示している。この場合、建物６６が出発地となる。そして、道路６４ｂが事故等により通行止めになった場合、当初導出されていた最短ルートである建物６６から第二の駅６３ｂまでの推奨ルートに対し、建物６６から第一の駅６３ａまでの推奨ルートを新たに導出する。そこで、当初、すなわち、事故前の推奨ルートであった建物６６から第二の駅６３ｂまでの推奨ルート７８ａを破線で示し、建物６６から道路６４ｂを回避して第二の駅６３ｂと線路６２で繋がっている第一の駅６３ａへ向かう推奨ルート７８ｂを実線で示すようにする。このように構成することにより、より実情に即したユーザーにとって有益な情報を提供することができる。このような推奨ルートの改めての導出は、たとえば、線路６２を通る電車が遅延していた情報を取得した場合等にも適用することができる。
【００４１】
すなわち、たとえば、画像情報マーク７２が上書きされた地図原稿７１および携帯端末装置４１をユーザーが携えて、現地、すなわち、地図原稿７１に示された位置に向かったとする。ここで、道路６４ｂの通行止めが発生していた場合、ユーザーは、たとえば近くのコンビニエンスストア内に設置されている複合機１１を利用して、再度上書きすることにより、より容易にユーザーの除く最適な推奨ルートの情報を取得することができる。
【００４２】
なお、上記の実施の形態においては、第一世代の原稿として地図原稿を用いることとしたが、これに限らず、他の原稿、たとえば、昔の時刻表の原稿を第一世代の原稿として用いることとしてもよい。この場合、第二世代の原稿としては、現在の時刻表の原稿となる。表示としては、昔の原稿の時刻の部分に現在の時刻を上書きするよう表示することにしてもよいし、表示の位置をずらせてもよい。さらに、複数の世代に亘って変遷するものであれば、複数の世代に亘って表示するようにしてもよい。この場合、世代ごとに色分けして表示するようにしてもよい。世代ごとの時刻表のデータについては、ネットワーク２３を経由してインターネット等から取得することができる。
【００４３】
また、上記の実施の形態においては、入力受付部３１は、操作部１３の表示画面２１からの入力を受付けることとしたが、これに限らず、たとえば、目的地等が把握できる手書きのメモや目的地が記載されたチケット等を第一の読取部１４によって読取らせることにより入力を受付けることとしてもよい。
【００４４】
なお、第一の読取部１４で読取らせる地図原稿６１について、たとえば、レストランやスーパーマーケット等といったお店側が提供する詳細な情報が簡略化された簡易地図がある。このような簡易地図の場合、道路の間隔や目標の建物の位置が実際のものと若干ずれている場合がある。このような抽象度が高い場合でも、お店の位置情報を住所等から算出し、実際の道路や建物等との整合性を取るようにする。そして、このような算出されたお店のデータ等をハードディスク１８に記憶して蓄積するようにする。蓄積されたデータを利用して、以後の位置情報の取得等に役立てることができ、精度の高い位置情報の取得等を行うことができる。
【００４５】
また、上記の実施の形態においては、出発地から目的地へ向かう推奨ルートを表示することとしたが、これに限らず、たとえば、地図上に表れている地域に関する過去の情報、たとえば、昔に田畑であったといった情報や川や池があったといった情報を第二世代の原稿の画像情報として表示するようにしてもよい。このような情報については、過去の地図情報をハードディスク１８等から取得するようにしてもよい。
【００４６】
なお、上記の実施の形態においては、画像情報マーク７２は、建物６６の位置に上書きすることとしたが、これに限らず、他の位置、たとえば、推奨ルートに重ならない位置に画像情報マーク７２を形成することにしてもよいし、地図原稿７１の余白の位置に形成することとしてもよい。すなわち、画像形成制御部３４は、地図原稿７１の余白に、画像情報マーク７２の画像を形成するよう制御するようにしてもよい。
【００４７】
なお、上記の実施の形態においては、画像形成制御部３４は、画像情報マーク生成部３３により生成された画像情報マークを原稿セット部によりセットされた第一世代の原稿に上書きして画像形成部１５により画像情報マークの画像を形成することとしたが、これに限らず、画像形成制御部３４は、画像情報マーク生成部３３により生成された画像情報マークを、原稿画像に形成するよう制御することとしてもよい。すなわち、原稿画像の生成と共に、画像情報マークを付加した画像を生成して１枚の用紙に出力する。こうすることによっても、一枚の原稿でユーザーの要求する情報を取得することができる。したがって、ユーザーの利便性を良好にすることができる。
【００４８】
また、上記の実施の形態において、第１電子装置としての複合機１１が、第一世代の原稿に関連する第二世代の原稿の画像情報を、複合機１１と第２電子装置としての携帯端末装置４１とに接続された電気公衆回線に接続された記憶装置に送信し、抽出部５２が第一世代の原稿に関連する第二世代の原稿を記憶装置から抽出するよう構成してもよい。
【００４９】
なお、上記の実施の形態において、第１電子装置として画像形成装置を採用することとしたが、これに限らず、画像を形成する画像形成部を含む他の装置を採用することにしてもよい。また、第２電子装置として携帯端末装置を採用することとしたが、これに限らず、情報を表示する表示部を含む他の装置を採用することにしてもよい。さらには、第１電子装置と第２電子装置とが共通である構成としてもよい。
【００５０】
また、この発明に係る第１電子装置は、以下の構成としてもよい。すなわち、この発明に係る第１電子装置は、画像を形成する画像形成部を含む第１電子装置、および情報を表示する表示部と、画像情報マークが付加された第一世代の原稿の画像を読取る第二の読取部と、第二の読取部により読取られた第一世代の原稿の画像に画像情報マークがあるか否かを判断する判断部と、判断部により画像情報マークがあると判断されれば、第二世代の原稿の画像情報を第１電子装置から抽出する抽出部と、第二の読取部により読取られた第一世代の原稿の画像に、抽出部により抽出された第二世代の原稿の画像情報を合わせて表示部に表示するよう制御する表示制御部とを含む第２電子装置を備える情報表示システムに含まれる。第１電子装置は、第一の読取部と、原稿セット部と、入力受付部と、第二世代画像情報生成部と、画像情報マーク生成部と、画像形成制御部とを備える。第一の読取部は、第一世代の原稿の画像を読取る。原稿セット部は、第一世代の原稿をセットさせる。入力受付部は、第一の読取部により読取られた第一世代の原稿に対してユーザーの要求するユーザー情報の入力を受付ける。第二世代画像情報生成部は、入力受付部により受付けられたユーザー情報、および第一の読取部により読取られた第一世代の原稿に基づいて、第一世代の原稿に関連する第二世代の原稿の画像情報を生成する。画像情報マーク生成部は、第二世代画像情報生成部により生成された第二世代の原稿の画像情報を第一世代の原稿の画像に盛り込んだ画像情報マークを生成する。画像形成制御部は、画像情報マーク生成部により生成された画像情報マークを原稿セット部によりセットされた第一世代の原稿に上書きして画像形成部により画像情報マークの画像を形成する、若しくは画像情報マーク生成部により生成された画像情報マークを原稿画像に形成するよう制御する。このような構成としてもよい。
【００５１】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５２】
この発明に係る情報表示システム、および第１電子装置は、ユーザーの利便性の向上が要求される場合に、特に有効に利用される。
【符号の説明】
【００５３】
１１  複合機、１２  複合機制御部、１３  操作部、１４  第一の読取部、１５  画像形成部、１６  給紙カセット、１７  手差しトレイ、１８  ハードディスク、１９  複合機ネットワークインターフェース部、２０  主記憶メモリ、２１  表示画面、２２  ＡＤＦ、２３  ネットワーク、２４  情報表示システム、３１  入力受付部、３２  第二世代画像情報生成部、３３  画像情報マーク生成部、３４  画像形成制御部、３５  地図情報取得部、３６  ルート導出部、４１  携帯端末装置、４２  携帯端末装置制御部、４３  携帯端末装置ネットワークインターフェース部、４４  携帯端末装置記憶部、４５  タッチパネル、４６  第二の読取部、５１  判断部、５２  抽出部、５３  表示制御部、６１，７１  地図原稿、６２  線路、６３ａ，６３ｂ  駅、６４ａ，６４ｂ，６５ａ，６５ｂ  道路、６６，６７ａ，６７ｂ，６７ｃ，６７ｄ  建物、７２  画像情報マーク、７３ａ  出発地、７３ｂ  目的地、７４，７５ａ，７５ｂ，７８ａ，７８ｂ  推奨ルート、７６ａ，７６ｂ，７６ｃ  位置、７７ａ，７７ｂ  矢印。
【図１】
2018142858.tif 000003
【図２】
2018142858.tif 000004
【図３】
2018142858.tif 000005
【図４】
2018142858.tif 000006
【図５】
2018142858.tif 000007
【図６】
2018142858.tif 000008
【図７】
2018142858.tif 000009
【図８】
2018142858.tif 000010
【図９】
2018142858.tif 000011
【図１０】
2018142858.tif 000012
【図１１】
2018142858.tif 000013